(57)【要約】【課題】  読取専用記憶媒体から読出されたアプリケーションの実行状態の保存を可能にする。【解決手段】  記憶媒体から読取装置を介して読み出したアプリケーションが、実行状態を保存するための保存領域の確保を必要とするか否かを判定する（ステップＳ１３）。この判定が肯定的であった場合に、当該アプリケーション３３用に既に保存領域が割り当てられているか否かを判定する（ステップＳ１４）。そして、当該保存領域が未だ割り当てられていないときには、内部メモリ内に、保存領域を割り当てる（ステップＳ１５）。こうして、専用の保存領域が必要に応じて割り当てられた後、アプリケーションが起動される（ステップＳ１９）。【選択図】  図４
2005050133.tif 000002
【特許請求の範囲】
【請求項１】
記憶媒体に記録された情報を読出すための読取装置を備える移動通信端末装置におけるアプリケーション用保存領域確保方法であって、
前記記憶媒体から読み出したアプリケーションが、実行状態を保存するための保存領域を前記移動体通信端末の内部メモリ内に確保する必要があるものか否かを判別する第１判別工程と；
前記第１判別工程の判別結果が肯定的であった場合に、前記アプリケーションに関して前記保存領域が前記内部メモリ内に既に割り当てられているか否かを判別する第２判別工程と；
前記第２判別工程の判別結果が否定的であった場合に、前記アプリケーションに関して前記保存領域を前記内部メモリ内に割り当てる保存領域割当工程と；を備えるアプリケーション用保存領域確保方法。
【請求項２】
前記保存領域に保存される前記実行状態の情報は、前記アプリケーションの実行中断時の状態情報であり、前記アプリケーションの実行の再開始時に必要な状態情報である、ことを特徴とする請求項１に記載のアプリケーション保存領域確保方法。
【請求項３】
記憶媒体に記録された情報を読出すための読取装置と；
前記記憶媒体から読み出したアプリケーションの実行状態を保存するための保存領域を内部メモリ内に確保する必要があり、かつ、前記アプリケーションに関して前記保存領域が前記内部メモリ内に既に割り当てられていない場合に、前記アプリケーションに関して前記保存領域を前記内部メモリ内に確保する保存領域確保手段と；を備える移動通信端末装置。
【請求項４】
記憶媒体に記録された情報を読出すための読取装置を備える移動通信端末装置におけるアプリケーション用保存領域確保プログラムであって、前記アプリケーションの起動前に、
前記記憶媒体から読み出したアプリケーションが、実行状態を保存するための保存領域を前記移動体通信端末の内部メモリ内に確保する必要があるものか否かを判別する第１判別手順と；
前記第１判別手順による判別結果が肯定的であった場合に、前記アプリケーションに関して前記保存領域が前記内部メモリ内に既に割り当てられているか否かを判別する第２判別手順と；を前記移動通信端末装置の制御用コンピュータに実行させるためのアプリケーション用保存領域確保プログラム。
【発明の詳細な説明】
【技術分野】
【０００１】
本発明は、アプリケーション保存領域確保方法、移動通信端末装置、及びアプリケーション管理用プログラムに係る。より詳しくは、記憶媒体に記録された情報を読出すための読取装置を備える移動通信端末装置におけるアプリケーション用保存領域確保方法、該アプリケーション用保存領域確保方法を使用する移動通信端末装置、及び該移動通信端末装置においてアプリケーション用保存領域の確保を行うアプリケーション用保存領域確保プログラムに関する。
【背景技術】
【０００２】
従来から、携帯電話等の移動通信端末装置が広く普及している。こうした移動通信端末装置においては、音声通話等の基本機能に加えて、オブジェクト指向言語（例えば、ＪＡＶＡ（登録商標））等を用いて作成されたゲーム、音楽等のアプリケーションを実行する機能を有するようになってきている。こうしたアプリケーションは、携帯電話内にプレインストールされていたり、基地局を介してサーバ等からダウンロードして携帯電話内にインストールしたりすることが一般的であった。
【０００３】
一方、近年における携帯電話の機能及び性能の向上は目覚しいものであり、メモリーカード等の記憶媒体に格納されたデータを読み取るための読み取り装置を装備したものが登場している。そして、記憶媒体に格納されたアプリケーションを読み出して実行できるようになってきている。なお、こうした記憶媒体としては、読み書きが可能なもの及び読み取り専用のものの２種類が使用されている。
【発明の開示】
【発明が解決しようとする課題】
【０００４】
上述した従来の技術において、ダウンロードによるアプリケーションの取得の場合には、ダウンロード後にインストールがなされる。そして、インストール時に、そのアプリケーションにとって必要な領域、例えばロールプレイングゲームのように筋書きを有するゲームの場合におけるゲームの実行途中の状態を保存するための領域（以下、「アプリケーション用保存領域」という）を、携帯電話の内部の記憶領域に確保していた。
【０００５】
これに対して、記憶媒体によるアプリケーションの取得の場合には、その記憶媒体内には即時実行可能な形態でアプリケーションが格納されていることを前提とするため、そのアプリケーションにとって必要な領域の確保といったことは行われていない。このため、アプリケーションが記憶媒体に格納されている場合には、そのアプリケーションのためのアプリケーション用保存領域は、記憶媒体中に確保されている必要があった。
【０００６】
こうした記憶媒体中におけるアプリケーション用保存領域の確保は、その記憶媒体が書込み可能なものであれば可能である。しかし、その記憶媒体が読出専用のものの場合には、記憶媒体中においてアプリケーション用保存領域の確保を行うことができなかった。このため、読出専用の記憶媒体に格納されたアプリケーションは、常に、最初から実行することとなり、クリアするために相当の時間を要するものとすることができなかった。
【０００７】
ところで、読出専用の記憶媒体にアプリケーションを格納しておくと、携帯電話の操作者が誤った操作をしても、記憶媒体からアプリケーションが消去されることがない。このため、読出専用の記憶媒体にアプリケーションを格納しておくことに対しては、多くの需要がある。この結果、読出専用の記憶媒体に格納されたアプリケーションであっても、以前に中断した状態からアプリケーションを再開できるようにすることが、強く望まれている。
【０００８】
本発明は、上記の事情を鑑みてなされたものであり、読出専用記憶媒体から読出されたアプリケーションの実行状態の保存を可能にするアプリケーション用保存領域確保方法を提供することを目的とする。
【０００９】
また、本発明は、読出専用記憶媒体から読出されたアプリケーションの実行状態の保存が可能な移動通信端末装置を提供することを目的とする。
【００１０】
また、本発明は、読出専用記憶媒体から読出されたアプリケーションの実行状態の保存を可能にするアプリケーション用保存領域確保プログラムを提供することを目的とする。
【課題を解決するための手段】
【００１１】
本発明のアプリケーション用保存領域確保方法は、記憶媒体に記録された情報を読出すための読取装置を備える移動通信端末装置におけるアプリケーション用保存領域確保方法であって、前記記憶媒体から読み出したアプリケーションが、実行状態を保存するための保存領域を前記移動体通信端末の内部メモリ内に確保する必要があるものか否かを判別する第１判別工程と；前記第１判別工程の判別結果が肯定的であった場合に、前記アプリケーションに関して前記保存領域が前記内部メモリ内に既に割り当てられているか否かを判別する第２判別工程と；前記第２判別工程の判別結果が否定的であった場合に、前記アプリケーションに関して前記保存領域を前記内部メモリ内に割り当てる保存領域割当工程と；を備えるアプリケーション用保存領域確保方法である。
【００１２】
このアプリケーション保存領域確保方法では、読取装置により記憶媒体からアプリケーションを読み出すと、まず、第１判別工程において、読み出したアプリケーションが、実行状態を保存するための保存領域すなわちアプリケーション用保存領域の確保を必要とするか否かが判定される。こうした判定は、たとえば、読取装置に挿入された記憶媒体が読出専用であり、かつ、読み出したアプリケーションにおいてアプリケーション用保存領域の確保が必要である旨が指定されている場合に、そのアプリケーションにとってアプリケーション用保存領域の確保が必要であるかを判定することによって行われる。
【００１３】
第１判定工程における判定結果が肯定的であった場合に、第２判別工程において、当該アプリケーションに関して既にアプリケーション用保存領域が割り当てられているか否かを判別する。この判定が否定的であったときには、保存領域割当工程において、当該アプリケーションに関してアプリケーション用保存領域を内部メモリ内に割り当てる。なお、こうしたアプリケーション用保存領域は、内部メモリにおける不揮発性領域に確保される。
【００１４】
こうして、当該アプリケーションに関してアプリケーション用記保存領域が割り当てられた後に、当該アプリケーションが起動される。そして、当該アプリケーションが実行され、中断時等に適宜実行状態をアプリケーション用記保存領域に格納する。
【００１５】
したがって、本発明のアプリケーション用保存領域確保方法によれば、読出専用記憶媒体から読出されたアプリケーションの実行状態の保存が可能となる。
【００１６】
本発明のアプリケーション用保存領域確保方法では、前記保存領域に保存される前記実行状態の情報を、前記アプリケーションの実行中断時の状態情報であり、前記アプリケーションの実行の再開始時に必要な状態情報であることとすることができる。この場合には、アプリケーション用保存領域に保存された実行状態の情報を、当該アプリケーションの実行を再開始する時に読み出し、読み出した状態情報を基づいて、当該アプリケーションの状態を設定することで、中断時の状態からアプリケーションの実行を再開することができる。
【００１７】
本発明の移動通信端末装置は、記憶媒体に記録された情報を読出すための読取装置と；前記記憶媒体から読み出したアプリケーションの実行状態を保存するための保存領域を内部メモリ内に確保する必要があり、かつ、前記アプリケーションに関して前記保存領域が前記内部メモリ内に既に割り当てられていない場合に、前記アプリケーションに関して前記保存領域を前記内部メモリ内に確保する保存領域確保手段と；を備える移動通信端末装置である。
【００１８】
この移動通信端末装置では、記憶媒体から読み出したアプリケーションが実行状態を保存するための保存領域すなわちアプリケーション用保存領域の確保を必要し、かつ、当該アプリケーションに関してアプリケーション用保存領域が前記内部メモリ内に既に割り当てられていない場合に、当該アプリケーションに関してアプリケーション用保存領域を内部メモリ内に確保する。こうして、アプリケーション用保存領域の確保の後に、当該アプリケーションが起動される。
【００１９】
すなわち、本発明の移動通信端末装置では、上述した本発明のアプリケーション用保存領域確保方法を使用して、アプリケーション用保存領域を確保して、アプリケーションを起動する。したがって、本発明の移動通信端末装置によれば、読出専用記憶媒体から読出されたアプリケーションの実行状態の保存が可能とした状態で、当該アプリケーションを実行することができる。
【００２０】
本発明のアプリケーション用保存領域確保プログラムは、記憶媒体に記録された情報を読出すための読取装置を備える移動通信端末装置におけるアプリケーション用保存領域確保プログラムであって、前記アプリケーションの起動前に、前記記憶媒体から読み出したアプリケーションが、実行状態を保存するための保存領域を前記移動体通信端末の内部メモリ内に確保する必要があるものか否かを判別する第１判別手順と；前記第１判別手順による判別結果が肯定的であった場合に、前記アプリケーションに関して前記保存領域が前記内部メモリ内に既に割り当てられているか否かを判別する第２判別手順と；を前記移動通信端末装置の制御用コンピュータに実行させるためのアプリケーション用保存領域確保プログラムである。
【００２１】
このアプリケーション用保存領域確保プログラムでは、読取装置により記憶媒体からアプリケーションが読み出されると、当該アプリケーションの起動前に、まず、第１判別手順を移動通信端末装置の制御用コンピュータに実行させて、読み出したアプリケーションが、実行状態を保存するための保存領域すなわちアプリケーション用保存領域の確保を必要とするか否を判定させる。引き続き、第１判定工程における判定結果が肯定的であった場合には、第２判別手順を当該制御用コンピュータに実行させて、当該アプリケーションに関して既にアプリケーション用保存領域が割り当てられているか否かを判定させる。この判定が否定的であった場合には、保存領域割当手順を当該制御用コンピュータに実行させて、当該アプリケーションに関してアプリケーション用保存領域を内部メモリ内に割り当てさせる。
【００２２】
すなわち、本発明のアプリケーション用保存領域確保プログラムでは、上述した本発明のアプリケーション用保存領域確保方法を使用して、起動前に、アプリケーション用保存領域を確保する。したがって、本発明のアプリケーション用保存領域確保プログラムによれば、読出専用記憶媒体から読出されたアプリケーションについて、起動前に、アプリケーション用保存領域を確保することができる。
【発明の効果】
【００２３】
以上説明したように、本発明のアプリケーション用保存領域確保方法によれば、その起動前に、読出専用記憶媒体から読み出されたアプリケーションの実行状態の保存を可能にすることができるという効果を奏する。
【００２４】
また、本発明の移動通信端末装置によれば、本発明のアプリケーション保存領域確保方法を使用してアプリケーション用保存領域を確保することができるので、その起動前に、読出専用記憶媒体から読み出されたアプリケーションの実行状態の保存が可能となるという効果を奏する。
【００２５】
また、本発明のアプリケーション用保存領域確保プログラムによれば、本発明のアプリケーション保存領域確保方法を実現するので、その起動前に、読出専用記憶媒体から読み出されたアプリケーションの実行状態の保存を可能にすることができる。
【発明を実施するための最良の形態】
【００２６】
以下、本発明の一実施形態を、図１〜図７を参照しつつ説明する。
【００２７】
図１及び図２には、一実施形態に係るメール処理方法が使用される移動通信端末装置（以下、携帯電話とも呼ぶ）１０の構成が概略的に示されている。ここで、図１（Ａ）には、携帯電話１０の外観の正面図が示され、図１（Ｂ）には、携帯電話１０の外観の裏面図が示されている。また、図２には、携帯電話１０の機能ブロック構成が示されている。
【００２８】
図１及び図２において総合的に示されるように、携帯電話１０は、（ａ）制御部２１、送受信部２２及び揮発性メモリ部と不揮発性メモリ部とから構成される記憶部２３を備える携帯電話本体１１と、（ｂ）電話番号を制御部２１へ入力するためのテンキー、及び、動作モードの切替等の各種指令を制御部２１へ入力するためのファンクションキーを有する操作部１２と、（ｃ）制御部２１による指令に応じて、操作案内、動作状況、受信メッセージ等を表示する液晶表示装置を有する表示部１３とを備えている。また、携帯電話１０は、（ｄ）通話時に通信相手から送られてきた音声信号を再生する通話用スピーカ１４と、通話時に音声を入力するためのマイクロフォン１５と、（ｅ）制御部２１による指令に応じて、着信音や案内音を発生するための案内用スピーカ１６とを備えている。更に、携帯電話１０は、（ｆ）送受信部２２と接続され、基地局との間で無線信号を授受するためのアンテナ１７と、（ｇ）メモリーカード等の記憶媒体ＭＣＤに対して情報の読み出し及び書込みを行うための読取装置１８とを備えている。なお、読取装置１８は、挿入された記憶媒体ＭＣＤが読出専用の記憶媒体であるか、読み出し及び書込みが可能な記憶媒体であるかを識別可能となっている。
【００２９】
上記の制御部２１は、中央処理装置（ＣＰＵ）、デジタル信号処理装置（ＤＳＰ）等を備えており、一般的な携帯電話機能を実現するために、様々なデータ処理を行うとともに、上述した他の構成要素の動作制御を行うようになっている。この制御部２１において実行されるプログラム等のソフトウエアの構成は、図３（Ａ）に示されるようになっている。
【００３０】
すなわち、制御部２１におけるソフトウエアは、（ｉ）通話機能等の携帯電話としての基本機能を実現するとともに、上述した各種のハードウエア資源の制御を行う基本処理部３１と、（ii）ゲーム等のコンテンツを利用者に提供するアプリケーション３３と、（iii）基本処理部３１とアプリケーション３３との間に位置し、アプリケーション３３の実行環境を提供する実行環境部３２とから構成されている。ここで、基本処理部３１は、後述するアプリケーション用保存領域３３Ｓの確保機能を有している。なお、基本処理部３１及び実行環境部３２は、携帯電話１０の工場出荷時から携帯電話の記憶部２３に実装されている。一方、アプリケーション３３は、利用者による操作部１２の操作によって読取装置１８に装着されたメモリーカード等の記憶媒体から読込まれるか、または送受信部２２を介してサーバからダウンロードされた後に記憶部２３に実装される。
【００３１】
アプリケーション３３は、図３（Ｂ）に示されるように、（ａ）アプリケーション３３の属性情報等が記述されたヘッダ領域３３Ｈと、（ｂ）制御部２１によって実行されるアプリケーション３３のプログラムが格納されたプログラム領域３３Ｐとを有している。ここで、ヘッダ領域で実行状態の保存を要求する旨の指定がされているアプリケーションの場合には、（ｃ）アプリケーション３３の実行状態等を記録するための保存用領域３３Ｓを更に有することになる。
【００３２】
基本処理部３１と実行環境部３２との間では、アプリケーション３３に関連して、要求、応答、イベント発生等の情報が適宜やり取りされるようになっている。また、実行環境部３２とアプリケーション３３との間では、アプリケーション３３からの各種の要求が実行環境部３２に通知されるとともに、実行環境部３２から応答やイベント発生が通知されるようになっている。すなわち、実行環境部３２は、アプリケーション３３と基本処理部３１間のコマンド変換、アプリケーション３３の管理等といったアプリケーション実行のためのソフトウエア資源を提供する一組のプログラムである。
【００３３】
次に、以上のように構成された携帯電話１０におけるアプリケーション３３の起動までの動作について説明する。
【００３４】
前提として、アプリケーション３３は記憶媒体ＭＣＤに格納されており、かつ、この記憶媒体ＭＣＤは読出専用記憶媒体であり、読取装置１８に挿入されているものとする。また、アプリケーション３３は、中断時における実行状態の格納に際しては、基本処理部３１へ実行状態の書込要求をするようにプログラムされているものとする。
【００３５】
まず、図４のステップＳ１１において、携帯電話１０の操作者が、操作部１２を操作して、基本処理部３１に対して、読取装置１８に挿入されている記憶媒体ＭＣＤに格納されているアプリケーション３３の実行を指定する。この実行指定をうけると、基本処理部３１は、ステップＳ１２において、読取装置１８に対してアプリケーション３３のヘッダ領域３３Ｈを読み取らせ、この読み取らせたデータを取得する。
【００３６】
次に、ステップＳ１３において、基本処理部３１は、アプリケーション３３が、実行状態の保存をするための保存領域が必要なアプリケーションであるか否かを判定する。この判定は、読取装置１８に挿入された記憶媒体ＭＣＤが読出専用であり、かつ、取得されたヘッダ領域３３Ｈのデータにおいて、アプリケーション３３によっての保存用領域３３Ｓ（以下、「アプリケーション用保存領域３３Ｈ」という）の確保が必要である旨が指定されているか否かを判定することにより行われる。
【００３７】
ステップＳ１３における判定が否定的であった場合には、アプリケーション用保存領域確保の処理を終了し、処理がステップＳ１９へ移行する。そして、ステップＳ１９において、アプリケーション３３が起動される。
【００３８】
ステップＳ１３における判定が肯定的であった場合には、処理はステップＳ１４へ移行する。このステップＳ１４では、基本処理部３１が、アプリケーション３３のアプリケーション用保存領域３３Ｓが携帯電話１０の記憶部２３内に確保されているか否かを判定する。この判定が否定的な場合には、処理はステップＳ１５へ移行する。ステップＳ１５において、基本処理部３１は、ヘッダ領域３３Ｈにおいて指定されている容量のアプリケーション用保存領域３３Ｓを記憶部２３内の不揮発性の書込可能領域に確保する。引き続き、ステップＳ１９において、アプリケーション３３が起動される。
【００３９】
一方、ステップＳ１４における判定が否定的であった場合には、処理はステップＳ１９へ移行する。引き続き、ステップＳ１９において、アプリケーション３３が起動される。
【００４０】
こうしてアプリケーション３３が起動されると、アプリケーション３３は、実行環境部３２を介して、記憶部２３内のアプリケーション用保存領域３３Ｓ内のデータを取得し、以前のアプリケーション３３の中断時における実行状態が格納されているか否かを判定する。この判定が否定的であった場合には、アプリケーション３３は最初から実行される。
【００４１】
一方、記憶部２３内のアプリケーション用保存領域３３Ｓに、以前のアプリケーション３３の中断時における実行状態が格納されているか否かの判定結果が否定的であった場合には、アプリケーション３３は、例えば図５に示されるような、アプリケーション用保存領域３３Ｓに保存された実行状態から再開するか否かを確認するための確認画面を表示する。こうした確認画面の表示中に操作者により、保存された実行状態から開始しないことの指定（図５の例では、「いいえ」の選択及び決定）がされると、アプリケーション３３が最初から実行される。これに対して、確認画面の表示中に操作者により、保存された実行状態から開始することの指定（図５の例では、「はい」の選択及び決定）がされると、アプリケーション３３は、以前の中断時の状態から再開される。
【００４２】
以後、携帯電話１０においては、アプリケーション３３が実行される。こうしたアプリケーション３３の実行中に、操作者が操作部１２を操作してアプリケーション３３の中断を要求すると、図６に示されるように、アプリケーション３３は中断用画面を表示する。この中断用画面の例が図７に示されている。図６に戻り、こうした画面の表示中に、操作者により、実行状態の保存が指定される（図７の例では「はい」の選択及び決定がされる）と、アプリケーション３３は、実行状態データを伴う実行状態の書込要求を実行環境部３２へ通知する。この書込要求を受けた実行環境部３２は、実行状態データともに実行状態の書込要求を基本処理部３１へ通知する。
【００４３】
こうして書込要求を受け取った基本処理部３１は、受け取った実行状態データをアプリケーション用保存領域３３Ｓへ格納する。そして、アプリケーション用保存領域３３Ｓへの実行状態の格納が完了すると、基本処理部３１は、書込完了を実行環境部３２へ通知する。この通知を受けた実行環境部３２は、アプリケーション３３へ、実行状態の書込完了を通知する。
【００４４】
こうして、実行状態の書込完了の通知を受けたアプリケーション３３は、アプリケーション３３の実行タスクの終了要求を実行環境部３２へ通知する。この終了要求を受けた実行環境部３２は、アプリケーション３３の実行タスクの終了要求を基本処理部３１へ通知する。そして、終了要求を受けた基本処理部３１は、アプリケーション３３の実行タスクを終了させる。こうしてアプリケーション３３の実行が中断される。
【００４５】
以上のように中断されたアプリケーション３３をその中断状態から再開する場合には、上述した図４におけるステップＳ１１，Ｓ１２，Ｓ１３，Ｓ１４，Ｓ１９を順次実行すればよい。
【００４６】
一方、上述した中断用画面の表示中に、操作者により、実行状態の保存を指定しない（図７の例では「いいえ」の選択及び決定がされる）と、アプリケーション３３は、直ちに、実行環境部３２を介して、アプリケーション３３の実行タスクの終了要求を基本処理部３１へ通知する。この結果、中断時の実行状態を保存せずに、アプリケーション３３の実行タスクが終了する。
【００４７】
以上説明したように、本実施形態では、読取装置１８により記憶媒体ＭＣＤからアプリケーション３３が読み出される、アプリケーション３３が、保存領域３３Ｓの確保を必要とするか否かが判定される。この判定の結果が肯定的であった場合には、アプリケーション３３に関して既に保存領域３３Ｓが割り当てられているか否かを判別する。この判定が否定的であったときには、保存領域３３Ｓが記憶部２３の不揮発性領域内に確保される。この後、アプリケーション３３が起動される。そして、アプリケーション３３が実行され、中断時からの再開のために必要な中断時における実行状態を保存領域３３Ｓに格納する。
【００４８】
したがって、本実施形態によれば、読出専用記憶媒体ＭＣＤから読出されたアプリケーション３３の実行状態の保存が可能となり、以前の中断時からアプリケーション３３の再開が可能となる。
【００４９】
なお、上記の実施形態では、アプリケーション３３の再開に際して、確認画面を表示して、以前の中断時の状態から再開するか、初期状態から実行を開始するかを選択できるようにした。これに対して、アプリケーション３３の再開に際して、確認画面を表示しないこととし、以前の中断時の状態から再開することとしてもよい。
【００５０】
また、アプリケーション３３が、アプリケーション用保存領域３３Ｓ内に格納された実行状態を消去できるようにすることできるようにしてもよいことは勿論である。
【００５１】
また、対戦ゲームやロールプレイングゲーム等のアプリケーションが搭載された携帯電話１０と、それと同等のアプリケーションが搭載された相手の携帯電話とが移動通信通信網を介して相互に通信を行いながら、前記アプリケーションを実行する時、前記アプリケーションの中断時において、相手のアプリケーションのレコードデータも一緒に携帯電話１０の保存領域に保存するようにしてもよい。
【００５２】
また、上記の実施形態では、本発明を携帯電話に適用したが、携帯電話以外の移動通信端末装置に本発明を適用することができるのは勿論である。
【産業上の利用可能性】
【００５３】
以上のように、本発明は、記憶媒体に格納されたアプリケーション用の実行状態保存のためのアプリケーション用保存領域の確保に有用であり、特にアプリケーションを格納した記憶媒体として読出専用記憶媒体を用いる場合におけるアプリケーション用保存領域の確保に適している。
【図面の簡単な説明】
【００５４】
【図１】本発明の一実施形態に係る携帯電話の外観構成を概略的に示す図である。
【図２】図１の携帯電話の機能ブロック図である。
【図３】図２の制御部において実行されるプログラム等のソフトウエアの構成を説明するための図である。
【図４】アプリケーション用保存領域の確保処理を説明するためのフローチャートである。
【図５】アプリケーション再開用画面の例を示す図である。
【図６】アプリケーション中断時における実行状態の保存処理を説明するためのシーケンス図である。
【図７】アプリケーション中断用画面の例を示す図である。
【符号の説明】
【００５５】
１０…携帯電話（移動通信端末装置）、１１…携帯電話本体、１２…操作部、１３…表示部、１４…通話用スピーカ、１５…マイクロフォン、１６…案内用スピーカ、１７…アンテナ、１８…読取装置、２１…制御部、２２…送受信部、２３…記憶部、３１…基本処理部、３２…実行環境部（領域確保手段及びアプリケーション管理用プログラム）、３３…アプリケーション、３３Ｈ…ヘッダ領域、３３Ｐ…プログラム領域、３３Ｓ…アプリケーション用保存領域、ＭＣＤ…記憶媒体。
【図１】
2005050133.tif 000003
【図２】
2005050133.tif 000004
【図３】
2005050133.tif 000005
【図４】
2005050133.tif 000006
【図５】
2005050133.tif 000007
【図６】
2005050133.tif 000008
【図７】
2005050133.tif 000009